【事件の表示】
　特願２０１６−１３７７５６「認証方法及び認証システム」拒絶査定不服審判事件〔平成２８年１１月２４日出願公開、特開２０１６−１９７４４３〕について、次のとおり審決する。
【結　論】
　本件審判の請求は、成り立たない。
【理　由】
第１　手続の経緯
　本願は，２０１３年７月１７日（パリ条約による優先権主張外国庁受理２０１２年７月２０日（以下，「優先日」という。），英国，２０１３年４月４日，英国）を国際出願日とする特願２０１５−５２２１６７号の一部を平成２８年７月１２日に新たな特許出願としたものであって，平成２９年７月２５日付けで拒絶理由が通知され，平成３０年１月９日に意見書が提出されるとともに手続補正がなされたが，同年６月１２日付けで拒絶査定がなされ，これに対して同年１０月１５日に拒絶査定不服審判の請求がなされると同時に手続補正がなされたものである。
第２　平成３０年１０月１５日にされた手続補正についての補正の却下の決定
［補正の却下の決定の結論］
　平成３０年１０月１５日にされた手続補正（以下「本件補正」という。）を却下する。
［理由］
１　本件補正について（補正の内容）
（１）本件補正後の請求項１の記載
　本件補正により，特許請求の範囲の請求項１の記載は，次のとおり補正された。（下線は，補正の個所を示すものとして審判請求人が付したものである。） 
「　【請求項１】
　ユーザが，
ｉ）画面と，
ｉｉ）画面のキーパッドゾーン内で操作可能であり，手続呼び出しによって生成することができ，実行時に揮発性メモリ内に生成され存在するオブジェクトである操作可能であ
って，複数のキーを含む仮想
を有する電子デバイスに識別名を入力することを可能にする工程から成っているが，
各キーは，このキーに付随する少なくとも１つ印を有し，ユーザーによって操作されると，前記付随する印が前記電子デバイスに記憶の目的で入力され，
i）
し，
ii）前記画像が，前記キーパッドの上に重ね合わされたマスク又はカバーとして機能し，その結果，前記キーパッドが前記画像の下にあって前記画像が前記ユーザの視野から少なくとも部分的に隠され，
前記ユーザが前記画像内のある場所に触れるか，その場所をクリックするか，又は別の方法で識別すると，それにより前記キーパッドゾーン内のその位置に配置された前記キーパッドのキーが作動するようになって，前記ユーザが入力すると，ユーザの意図する入力の自動的に符号化されたバージョンを提供する
コンピュータ実施の検証方法。」
（２）本件補正前の請求項１の記載 
　本件補正前の，平成３０年１月９日にされた手続補正により補正された特許請求の範囲の請求項１の記載は次のとおりである。
「　【請求項１】
　ユーザが，
ｉ）画面と，
ｉｉ）画面のキーパッドゾーン内で操作可能であり，手続呼び出しによって生成することができ，実行時に揮発性メモリ内に生成され存在するオブジェクトである操作可能な電子キーパッドと
を有する電子デバイスに識別名を入力することを可能にする工程から成っているが，この工程は，前記キーパッドゾーン内に少なくとも部分的に表示されるキーパッドの少なくとも一部の画像を介して，前記キーパッドの少なくとも１つのキーを操作することによって行われ，
前記画像は，前記操作可能なキーパッド内の前記キーのレイアウトに対して位置的に再配列又は再構成される少なくとも１つのキーを有するスクランブルキーパッドを表現し又は描写する
コンピュータ実施の検証方法。」 
２　補正の適否
（１）補正事項
　本件補正は，補正前の請求項１に記載された発明特定事項である「操作可能な電子キーパッド」を「操作可能であって，複数のキーを含む仮想キーパッド」と補正し（以下，これを「補正事項１」という），
　補正前の請求項１に記載された発明特定事項である「複数のキー」について，「各キーは，このキーに付随する少なくとも１つ印を有し，ユーザーによって操作されると，前記付随する印が前記電子デバイスに記憶の目的で入力され，」と限定し（以下，これを「補正事項２」という），
　補正前の請求項１の
「前記画像は，前記操作可能なキーパッド内の前記キーのレイアウトに対して位置的に再配列又は再構成される少なくとも１つのキーを有するスクランブルキーパッドを表現し又は描写する」
　との記載を， 
「i）前記画像は，前記操作可能なキーパッド内の前記キーのレイアウトに対して位置的に再配列又は再構成される少なくとも１つのキーを有するスクランブルキーパッドを表現し又は描写し，
ii）前記画像が，前記キーパッドの上に重ね合わされたマスク又はカバーとして機能し，その結果，前記キーパッドが前記画像の下にあって前記画像が前記ユーザの視野から少なくとも部分的に隠され，
前記ユーザが前記画像内のある場所に触れるか，その場所をクリックするか，又は別の方法で識別すると，それにより前記キーパッドゾーン内のその位置に配置された前記キーパッドのキーが作動するようになって，前記ユーザが入力すると，ユーザの意図する入力の自動的に符号化されたバージョンを提供する」
　と補正する（以下，これを「補正事項３」という）ものである。 
　
（２）新規事項についての当審の判断 
　本件補正が特許法第１７条の２第３項の規定を満たすものであるか否か，即ち，本件補正が，願書に最初に添付した明細書，特許請求の範囲又は図面（以下，「当初明細書等」という。）に記載された事項の範囲内でなされたものであるかについて，以下に検討する。
＜補正事項３について＞
　上記補正事項３により，「前記画像が，前記キーパッドの上に重ね合わされたマスク又はカバーとして機能し，その結果，前記キーパッドが前記画像の下にあって前記画像が前記ユーザの視野から少なくとも部分的に隠され」との記載（以下，「記載Ａ」という。）が追加されているところ，当初明細書等には，「前記画像が前記ユーザの視野から少なくとも部分的に隠され」ることについては何も記載されていない。
　当初明細書等には，
　段落【００４３】に，
「この特徴の利点は，ユーザが入力すると，ユーザの入力が自動的に符号化されるように，画像からのユーザの入力を，
ユーザの視野から少なくとも部分的に隠すことができる電子的キーパッド
　段落【００５３】に，
「キーパッドゾーンは，画面の画定された領域又は部分とすることができる。従って，キーパッドゾーンは，画面領域全体を占めてもよいし，画面の一部分を占めていてもよい。スクランブルキーパッド画像は，それがキーパッドゾーンを完全に，正確に，又は部分的に覆うように表示することができる。好ましくは，
下にあるキーパッドは，ユーザがキーパッドのキーの少なくとも幾つかは見ることができないように，少なくとも部分的に視野から隠される。
　段落【０１０１】に，
「
２つのキーパッドの位置合わせは，スクランブルキーパッド画像だけがユーザには見え，下にある動作可能なキーパッドが，少なくとも部分的に，しかし好ましくは完全に画像で隠されるようにするものである。
　これらの記載から，当初明細書等には，「電子的キーパッド（下にあるキーパッド，下にある動作可能なキーパッド）」が「ユーザの視野から少なくとも部分的に隠され」ることは記載されていると認められるものの，「キーパッドの上に重ね合わされたマスク又はカバーとして機能」する「画像」が，「ユーザの視野から少なくとも部分的に隠され」ることについては記載も示唆もされていない。
　そうすると，「前記画像」が「ユーザの視野から少なくとも部分的に隠され」ることを特定する上記補正事項３は，当初明細書等に記載された事項の範囲内でしたものとはいえず，上記補正事項３を含む本件補正は，当初明細書等の全ての記載を総合することにより導かれる技術的事項との関係において，新たな技術的事項を導入するものである。
　したがって，本件補正は，特許法第１７条の２第３項の規定に違反するので，同法第１５９条第１項において読み替えて準用する同法第５３条第１項の規定により却下すべきものである。
（３）独立特許要件
　上記「（２）新規事項についての当審の判断」で検討したとおり，本件補正は，特許法第１７条の２第３項の規定に違反するものであり，同法第１５９条第１項において読み替えて準用する同法第５３条第１項の規定により却下すべきものであるが，
　仮に，本件補正が，特許法第１７条の２第３項の規定に適合するものであり，上記「（１）補正事項」で検討した請求項１に係る上記補正事項１〜３が，限定的減縮を目的とするものであったとして，本件補正後の請求項１に係る発明（以下，「本件補正発明」という。）が，特許出願の際独立して特許を受けることができるものであるか（特許法第１７条の２第６項において準用する同法第１２６条第７項の規定に適合するか）について，以下，さらに検討する。
（３−１）サポート要件（特許法第３６条第６項第１号）について
　上記補正事項３により，本件補正発明は，「前記画像が，前記キーパッドの上に重ね合わされたマスク又はカバーとして機能し，その結果，前記キーパッドが前記画像の下にあって前記画像が前記ユーザの視野から少なくとも部分的に隠され」との記載（記載Ａ）を含むものとなったが，当該記載Ａによって特定される，「前記キーパッドの上に重ね合わされたマスク又はカバーとして機能」する「前記画像」が，さらに，「前記ユーザの視野から少なくとも部分的に隠され」るとは，どのような技術的事項を特定しようとしているのか明細書の記載を参照しても明確でなく，上記記載Ａに対応する説明は，本願明細書の発明の詳細な説明に何も記載されていない。
　してみれば，記載Ａを含む本件補正発明は，発明の詳細な説明に記載されたものではないから，特許法第３６条第６項第１号の規定により特許出願の際独立して特許を受けることができないものである。
３　本件補正についてのむすび 
　上記（２）のとおり，本件補正は，特許法第１７条の２第３項の規定に違反するので，同法第１５９条第１項において読み替えて準用する同法第５３条第１項の規定により却下すべきものである。
　また，仮に本件補正が，特許法第１７条の２第３項の規定に適合するものであり，上記「（１）補正事項」で検討した請求項１に係る上記補正事項１〜３が，限定的減縮を目的とするものであったとしても，上記（３）のとおり，本件補正発明は，特許出願の際独立して特許を受けることができないものであるから，本件補正は，特許法第１７条の２第６項において準用する同法第１２６条第７項の規定に違反するので，同法第１５９条第１項の規定において読み替えて準用する同法第５３条第１項の規定により却下すべきものである。
　よって，上記補正の却下の決定の結論のとおり決定する。
第３　原査定の拒絶の理由
　原査定の拒絶の理由は，この出願の請求項１−８，９−１３，１５−１８に係る発明は，本願の優先日前に頒布された又は電気通信回線を通じて公衆に利用可能となった下記の引用文献１，２，４〜６に記載された発明及び引用文献３に記載された周知技術に基づいて，その出願前にその発明の属する技術の分野における通常の知識を有する者が容易に発明をすることができたものであるから，特許法第２９条第２項の規定により特許を受けることができない，というものである。
　　　　　　　　　　　　　　＜引用文献等一覧＞
引用文献１：特表２００８−５３７２１０号公報
引用文献２：特表２０１０−５３３９２５号公報
引用文献３：特開２００４−１０２４６０号公報
引用文献４：特開２００５−１０７６７８号公報
引用文献５：特表２００８−５０６１９８号公報
引用文献６：特開平７−２７１８８４号公報
第４　本願発明について
　平成３０年１０月１５日にされた手続補正は，上記のとおり却下されたので，本願の請求項に係る発明は，平成３０年１月９日にされた手続補正により補正された特許請求の範囲の請求項１〜１８に記載された事項により特定されるものであるところ，その請求項１に係る発明（以下「本願発明」という。）は，その請求項１に記載された事項により特定される，前記第２［理由］１（２）に記載のとおりのものであり，以下に再掲する。
「　【請求項１】
　ユーザが，
ｉ）画面と，
ｉｉ）画面のキーパッドゾーン内で操作可能であり，手続呼び出しによって生成することができ，実行時に揮発性メモリ内に生成され存在するオブジェクトである操作可能な電子キーパッドと
を有する電子デバイスに識別名を入力することを可能にする工程から成っているが，この工程は，前記キーパッドゾーン内に少なくとも部分的に表示されるキーパッドの少なくとも一部の画像を介して，前記キーパッドの少なくとも１つのキーを操作することによって行われ，
前記画像は，前記操作可能なキーパッド内の前記キーのレイアウトに対して位置的に再配列又は再構成される少なくとも１つのキーを有するスクランブルキーパッドを表現し又は描写する
コンピュータ実施の検証方法。」 
第５　引用文献
１　引用文献１の記載及び引用発明
　原査定の拒絶の理由で引用された，本願の優先日前に頒布された刊行物である，特表２００８−５３７２１０号公報（２００８年９月１１日出願公開。以下，「引用文献１」という。）には，図面とともに，次の記載がある。（下線は当審において付加したものである。以下同様。）
Ａ　「【００２０】
　　　図１の
認証システムは，クライアント端末１と，データベース・サーバ２と，セキュリティ・サーバ３とを有する
【００２１】
　　　クライアント端末１は，ハードウェアあるいはソフトウェアのいずれかで，データベース・サーバ２に記録されたデータに遠方からアクセス可能であり，記録されたデータを遠方から変更あるいはそれに追加することができる。
クライアント端末１は，ディスプレイ４と入力装置５とを有する
【００２２】
　　　クライアント端末１のディスプレイ４は，様々な情報をユーザに見せるために外観（表示）を変更できる如何なる装置でもよい。ディスプレイ４は，ＶＤＵが好ましいが，別の構成として，キーパッドあるいはキーボード上の変更可能な記号からなり，ディスプレイ４と入力装置５とは一体化されてもよい。別の構成として，
ディスプレイ４と入力装置５は，タッチスクリーン・ディスプレイの形態で，一体化してもよい
【００２３】
　　　
入力装置５を用いて，認証データ（例えば
ＰＩＮ）を入力する。この認証データをクライアント端末１が用いて，データベース・サーバ２へのアクセスを確保する
【００２４】
　　　データベース・サーバ２は，認証（許可）された人だけがアクセスできるデータを記憶し，データベース・サーバ２へのアクセスを試みたユーザを承認（認証）する認証手段６を有する。この認証手段６は，最も単純な形態では，有効認証データのリストを含むルックアップテーブルを有する。認証手段６が受領した認証データが，ルックアップテーブルに記録された有効認証データに一致すると，ユーザにデータベース・サーバ２に記録されたデータ１０へのアクセスが許可される。認証手段６は，受領した認証データからユーザを識別し，その結果，データベース・サーバ２に記録されたデータへのアクセスは，ユーザの識別に応じて調整することもできる。例えば，患者は自分の医療記録にのみアクセスでき，銀行の顧客は自分の銀行口座の詳細データにのみアクセスできる。認証手段６は，データベース・サーバ２の一部でもよく，あるいは個別の認証システムの形態を採ってもよく，有効な認証データが受領されるまで，データベース・サーバ２へのアクセスを閉じる。
【００２５】
　　　
セキュリティ・サーバ３は，結合生成器７と，画像生成装置８と，デコーダ（暗号解読器）９とを有する。リクエストをデータベース・サーバ２から受領すると，結合生成装置７は，ランダム列とこのランダム列に特有の識別コードとを生成する
認証データがＰＩＮの形態の場合，すなわち認証データが数字のみを含む場合には，ランダム列は，
例えば「７２６０９４８１３５」である。
結合生成装置７は，ランダム列と識別コードの両方を画像生成装置８とデコーダ９と通信し，識別コードのみをデータベース・サーバ２と通信する。
【００２６】
　　　
画像生成装置８は，結合生成装置７から受領したランダム列を採り，クライアント端末１上に表示するのに適したイメージデータを生成する。例えば，クライアント端末１がパソコンの場合には，イメージデータはイメージファイル（例，ＪＰＧ，ＧＩＦ，ＢＭＰ等）又はＨＴＭＬファイルから構成される。この生成されたイメージは，ランダム列からなる各キャラクタを含み，ディスプレイのイメージ内の各キャラクタの位置は，キャラクタがランダム列に現れる順番で決定される。例えば，ランダム列の最初のキャラクタは，ディスプレイのイメージの左上に表示され，ランダム列の最後のキャラクタは，イメージの右下に表示される。生成されたイメージは，受信したキャラクタのランダム列とは無関係に，同一の全体的デザインを維持し，この同一の全体的デザイン内でキャラクタの構成のみが各ランダム列と共に変化する。例えば，画像生成装置８は常に数字のキーパッドのイメージを生成し，このキーパッド上の数字の配列は受信したランダム列に従って変化する。図３は，「３５４９２＊０＃６７８１」列を受信した時に，画像生成装置８により生成されたイメージデータを示す。
【００２７】
　　　画像生成装置８により生成されたイメージデータは，クライアント端末１がディスプレイ４の外観を変更するのに使用することのできる如何なるデータでもよい。例えば，ディスプレイ４がキーパッド上に配列可能な銘を含む場合には，イメージデータは，結合生成装置７から受領した乱数しかを含まない。クライアント端末１は，イメージデータを受領すると，キーパッドの第１キーの銘を修正し，ランダム列の第１キャラクタを表示し，第２キーの銘を修正してランダム列の第２キャラクタを表示する。以下同様である。
【００２８】
　　　
特定のランダム列用に画像生成装置８により生成されたイメージデータは，そのランダム列用に結合生成装置７から受領したものと同じ識別コードが割り当てられる。
この識別コードは，セキュリティ・サーバ３からデータベース・サーバ２に送られ，このデータベース・サーバ２が次に識別コードをクライアント端末１に送る。
【００２９】
　　　
クライアント端末１は，この識別コードを用いて，画像生成装置８により生成された対応するイメージデータを，セキュリティ・サーバ３から受領する。その後，クライアント端末１は，受領したイメージデータを用いてディスプレイ４の外観を変更し，ランダムに配置された複数のキャラクタ（例，数字，文字，記号等）をユーザに表示する。その後，ユーザは，入力装置５を用いて，例えばＰＩＮを形成する個々のキャラクタを選択することにより，自分の認証データを入力する。ユーザにより入力された認証データは，クライアント端末１により位置データとして記録される。この位置データは，クライアント端末１により，キャラクタ・データあるいは他の形態のデータに変換され，セキュリティ・サーバ３に送られる。例えば，図３のイメージがクライアント端末１に表示され，ユーザが「７，９，２，０」を選択した場合には，その位置データは「第１行第１列，第３行第１列，第３行第２列，第２行第１列」となる。この位置データは，従来の数字のキーパッド上の数字の配列に対応する「１，７，８，４」に変換される（因みに，列と行の数え方は，列は左から，行は下から数える）。かくして，位置データあるいは位置データが変換されるキャラクタ・データは，認証データの暗号化（符号化）された形態を表す。この暗号化された認証データ（例，１，７，８，４）は，識別コードに特有のイメージデータあるいはそのランダム列とこのイメージデータを生成する方法の両方を知ることによってのみ暗号解読される。認証データがユーザにより入力された後，暗号化された認証データと表示されたイメージデータに特有の識別コードは，クライアント端末１によりセキュリティ・サーバ３に送られ，そこで，デコーダ９により暗号解読される。
【００３０】
　　　デコーダ９は，各ランダム列と結合生成装置７から受領した識別コードとを記憶する。この暗号化された認証データと識別コードをクライアント端末１から受領すると，デコーダ９は，対応するランダム列（即ち同一の識別コードを有するランダム列）を用いて，真の認証データを暗号解読（即ち抽出）する。この暗号解読（復号化）された認証データは，その後，セキュリティ・サーバ３のデコーダ９からデータベース・サーバ２に送られる。
【００３１】
　　　次に，本発明の動作を説明する。クライアント端末１は，最初にデータベース・サーバ２へアクセスするためのリクエストを送る（Ｓ１）。このリクエストは，クライアント端末１とデータベース・サーバ２との間の接続を確立することにより，行われる。別の構成として，ユーザは，最初に認証データの一部（例，ユーザネーム）を入力することが要求される。部分的な認証データが有効であると，これはアクセスする為のリクエストを構成する。アクセスする為い有効なリクエストをデータベース・サーバ２が受領すると，データベース・サーバ２は，セキュリティ・サーバ３からの端末ディスプレイ識別コードのリクエストを発行する（Ｓ２）。データベース・サーバ２は，クライアント端末のアクセス・リクエストを，クライアント端末にこのアクセス・リクエストに特有の取引識別コードを送ることにより確認してもよい。この取引識別コードは，セキュリティ・サーバから要求された識別コードとは異なる。その後，結合生成装置７は，ランダム列と端末ディスプレイ識別コードとを生成する（Ｓ３）。この両方とも，画像生成装置８とデコーダ９に送られる。画像生成装置８は，クライアント端末１上に表示するのに適したイメージデータを生成し（Ｓ４），このイメージデータを同一の端末ディスプレイ識別コードに割り当てる。
【００３２】
　　　端末ディスプレイ識別コードは，セキュリティ・サーバ３からデータベース・サーバ２に送られ，データベース・サーバ２がこの識別コードをクライアント端末１に送る（Ｓ５）。それに応じて，クライアント端末１は，データベース・サーバ２から，進行中の取引に特有の独自の取引識別コードと端末ディスプレイ識別コードとを受領する。クライアント端末１は，その後この端末ディスプレイ識別コードを用いて，セキュリティ・サーバ３からイメージデータを要求する（Ｓ６）。画像生成装置８により生成されたその特定の識別コードに特有のイメージデータは，その後セキュリティ・サーバ３からクライアント端末１に戻されて，クライアント端末１で表示される。
【００３３】
　　　
ユーザは，その後認証データを，クライアント端末１上に現れたイメージデータを用いて入力する（Ｓ７）。
ユーザにより入力された認証データは暗号化される。この暗号化された認証データ
は，クライアント端末１からセキュリティ・サーバ３に送られ（Ｓ８），デコーダ９が受領する。デコーダ９は，暗号化された認証データを
暗号解読し，
暗号解読されると，真の認証データが，セキュリティ・サーバ３からデータベース・サーバ２に送られる（Ｓ１０）。この真の認証データをその後認証手段６がチェックし（Ｓ１１），認証手段６が，セキュリティ・サーバ３から受領した認証データを有効であると決定すると，データベース・サーバ２へのアクセスがユーザに許可される（Ｓ１２）。それ以外は，データベース・サーバ２は，クライアント端末１に対し認証データは無効であると通知し（Ｓ１３）
Ｂ　「【図３】
」
　ここで，上記引用文献１に記載されている事項について検討する。
（ア）上記Ａの段落【００２０】の「認証システムは，クライアント端末１と，データベース・サーバ２と，セキュリティ・サーバ３とを有する」との記載から，引用文献１には，“クライアント端末１と，データベース・サーバ２と，セキュリティ・サーバ３とを有する認証システム”が記載されていると認められる。
（イ）上記Ａの段落【００３３】の「ユーザは，その後認証データを，クライアント端末１上に現れたイメージデータを用いて入力する（Ｓ７）。・・・ユーザにより入力された認証データは暗号化される。この暗号化された認証データ・・・は，クライアント端末１からセキュリティ・サーバ３に送られ（Ｓ８），デコーダ９が受領する。デコーダ９は，暗号化された認証データを・・・暗号解読し，・・・暗号解読されると，真の認証データが，セキュリティ・サーバ３からデータベース・サーバ２に送られる（Ｓ１０）。この真の認証データをその後認証手段６がチェックし（Ｓ１１），認証手段６が，セキュリティ・サーバ３から受領した認証データを有効であると決定すると，データベース・サーバ２へのアクセスがユーザに許可される（Ｓ１２）。それ以外は，データベース・サーバ２は，クライアント端末１に対し認証データは無効であると通知し（Ｓ１３）」との記載から，引用文献１には，“クライアント端末１のユーザが入力した認証データが有効であるか無効であるかを決定する方法”が記載されていると認められる。
（ウ）上記Ａの段落【００２１】の「クライアント端末１は，ディスプレイ４と入力装置５とを有する」との記載から，引用文献１には，“クライアント端末１は，ディスプレイ４と入力装置５とを有”することが記載されていると認められる。
（エ）上記Ａの段落【００２２】の「ディスプレイ４と入力装置５は，タッチスクリーン・ディスプレイの形態で，一体化してもよい」との記載から，引用文献１には，“ディスプレイ４と入力装置５は，タッチスクリーン・ディスプレイの形態で，一体化してもよ”いことが記載されていると認められる。
（オ）上記Ａの段落【００２３】の「入力装置５を用いて，認証データ（例えば，・・・ＰＩＮ）を入力する。この認証データをクライアント端末１が用いて，データベース・サーバ２へのアクセスを確保する」との記載から，引用文献１には，“入力装置５を用いて，認証データ（例えば，ＰＩＮ）を入力すると，この認証データをクライアント端末１が用いて，データベース・サーバ２へのアクセスを確保するようになって”いることが記載されていると認められる。
（カ）上記Ａの段落【００２５】の「セキュリティ・サーバ３は，結合生成器７と，画像生成装置８と，デコーダ（暗号解読器）９とを有する。リクエストをデータベース・サーバ２から受領すると，結合生成装置７は，ランダム列とこのランダム列に特有の識別コードとを生成する」との記載から，引用文献１には，“セキュリティ・サーバ３は，結合生成器７と，画像生成装置８と，デコーダ（暗号解読器）９とを有し，リクエストをデータベース・サーバ２から受領すると，結合生成装置７は，ランダム列とこのランダム列に特有の識別コードとを生成”することが記載されていると認められる。
（キ）上記Ａの段落【００２５】の「認証データがＰＩＮの形態の場合，すなわち認証データが数字のみを含む場合には，ランダム列は，・・・例えば「７２６０９４８１３５」である。」との記載及び同段落【００２５】の「結合生成装置７は，ランダム列と識別コードの両方を画像生成装置８とデコーダ９と通信し，識別コードのみをデータベース・サーバ２と通信する」との記載から，引用文献１には，“認証データがＰＩＮの形態の場合，すなわち認証データが数字のみを含む場合には，ランダム列は，例えば『７２６０９４８１３５』であり，結合生成装置７は，ランダム列と識別コードの両方を画像生成装置８とデコーダ９と通信し，識別コードのみをデータベース・サーバ２と通信”することが記載されていると認められる。
（ク）上記Ａの段落【００２６】の「画像生成装置８は，結合生成装置７から受領したランダム列を採り，クライアント端末１上に表示するのに適したイメージデータを生成する。例えば，クライアント端末１がパソコンの場合には，イメージデータはイメージファイル（例，ＪＰＧ，ＧＩＦ，ＢＭＰ等）又はＨＴＭＬファイルから構成される。この生成されたイメージは，ランダム列からなる各キャラクタを含み，ディスプレイのイメージ内の各キャラクタの位置は，キャラクタがランダム列に現れる順番で決定される。例えば，ランダム列の最初のキャラクタは，ディスプレイのイメージの左上に表示され，ランダム列の最後のキャラクタは，イメージの右下に表示される。生成されたイメージは，受信したキャラクタのランダム列とは無関係に，同一の全体的デザインを維持し，この同一の全体的デザイン内でキャラクタの構成のみが各ランダム列と共に変化する。例えば，画像生成装置８は常に数字のキーパッドのイメージを生成し，このキーパッド上の数字の配列は受信したランダム列に従って変化する。図３は，「３５４９２＊０＃６７８１」列を受信した時に，画像生成装置８により生成されたイメージデータを示す。」との記載，及び上記Ｂで引用した図３の記載から，引用文献１には，“画像生成装置８は，結合生成装置７から受領したランダム列を採り，クライアント端末１上に表示するのに適したイメージデータを生成し，
　例えば，クライアント端末１がパソコンの場合には，イメージデータは例えばＪＰＧ等のイメージファイルから構成され，
　この生成されたイメージは，ランダム列からなる各キャラクタを含み，ディスプレイのイメージ内の各キャラクタの位置は，キャラクタがランダム列に現れる順番で決定され，
　例えば，ランダム列の最初のキャラクタは，ディスプレイのイメージの左上に表示され，ランダム列の最後のキャラクタは，イメージの右下に表示され，
　生成されたイメージは，受信したキャラクタのランダム列とは無関係に，同一の全体的デザインを維持し，この同一の全体的デザイン内でキャラクタの構成のみが各ランダム列と共に変化し，
　例えば，画像生成装置８は常に数字のキーパッドのイメージを生成し，このキーパッド上の数字の配列は受信したランダム列に従って変化し，
　ランダム列『３５４９２＊０＃６７８１』を受信した時には，画像生成装置８によりランダム列『３５４９２＊０＃６７８１』に対応したイメージデータが生成され”ることが記載されていると認められる。
（ケ）上記Ａの段落【００２８】の「特定のランダム列用に画像生成装置８により生成されたイメージデータは，そのランダム列用に結合生成装置７から受領したものと同じ識別コードが割り当てられる。・・・この識別コードは，セキュリティ・サーバ３からデータベース・サーバ２に送られ，このデータベース・サーバ２が次に識別コードをクライアント端末１に送る。」との記載から，引用文献１には，“特定のランダム列用に画像生成装置８により生成されたイメージデータは，そのランダム列用に結合生成装置７から受領したものと同じ識別コードが割り当てられ，この識別コードは，セキュリティ・サーバ３からデータベース・サーバ２に送られ，このデータベース・サーバ２が次に識別コードをクライアント端末１に送”ることが記載されていると認められる。
（コ）上記Ａの段落【００２９】の「クライアント端末１は，この識別コードを用いて，画像生成装置８により生成された対応するイメージデータを，セキュリティ・サーバ３から受領する。その後，クライアント端末１は，受領したイメージデータを用いてディスプレイ４の外観を変更し，ランダムに配置された複数のキャラクタ（例，数字，文字，記号等）をユーザに表示する。その後，ユーザは，入力装置５を用いて，例えばＰＩＮを形成する個々のキャラクタを選択することにより，自分の認証データを入力する。ユーザにより入力された認証データは，クライアント端末１により位置データとして記録される。この位置データは，クライアント端末１により，キャラクタ・データあるいは他の形態のデータに変換され，セキュリティ・サーバ３に送られる。例えば，図３のイメージがクライアント端末１に表示され，ユーザが「７，９，２，０」を選択した場合には，その位置データは「第１行第１列，第３行第１列，第３行第２列，第２行第１列」となる。この位置データは，従来の数字のキーパッド上の数字の配列に対応する「１，７，８，４」に変換される（因みに，列と行の数え方は，列は左から，行は下から数える）。かくして，位置データあるいは位置データが変換されるキャラクタ・データは，認証データの暗号化（符号化）された形態を表す。この暗号化された認証データ（例，１，７，８，４）は，識別コードに特有のイメージデータあるいはそのランダム列とこのイメージデータを生成する方法の両方を知ることによってのみ暗号解読される。認証データがユーザにより入力された後，暗号化された認証データと表示されたイメージデータに特有の識別コードは，クライアント端末１によりセキュリティ・サーバ３に送られ，そこで，デコーダ９により暗号解読される。」との記載，上記Ｂで引用した図３の記載，及び上記（ク）の検討から，引用文献１には，“クライアント端末１は，この識別コードを用いて，画像生成装置８により生成された対応するイメージデータを，セキュリティ・サーバ３から受領し，
　その後，クライアント端末１は，受領したイメージデータを用いてディスプレイ４の外観を変更し，ランダムに配置された複数のキャラクタをユーザに表示し，
　その後，ユーザは，入力装置５を用いて，例えばＰＩＮを形成する個々のキャラクタを選択することにより，自分の認証データを入力し，
　ユーザにより入力された認証データは，クライアント端末１により位置データとして記録され，
　この位置データは，クライアント端末１により，キャラクタ・データに変換され，セキュリティ・サーバ３に送られ，
　例えば，ランダム列『３５４９２＊０＃６７８１』に対応したイメージがクライアント端末１に表示され，ユーザが『７，９，２，０』を選択した場合には，その位置データは『第１行第１列，第３行第１列，第３行第２列，第２行第１列』となり，
　この位置データは，従来の数字のキーパッド上の数字の配列に対応する『１，７，８，４』に変換され，
　ここで，列と行の数え方は，列は左から，行は下から数えるようになっており，
　位置データが変換されるキャラクタ・データは，認証データの暗号化された形態を表し，この暗号化された認証データ『１，７，８，４』は，識別コードに特有のイメージデータとこのイメージデータを生成する方法の両方を知ることによってのみ暗号解読されるものであり，
　認証データがユーザにより入力された後，暗号化された認証データと表示されたイメージデータに特有の識別コードは，クライアント端末１によりセキュリティ・サーバ３に送られ，そこで，デコーダ９により暗号解読される”ことが記載されていると認められる。
（サ）上記（ア）〜（コ）の検討から，引用文献１には，次のとおりの発明（以下，「引用発明」という。）が記載されていると認められる。
「クライアント端末１と，データベース・サーバ２と，セキュリティ・サーバ３とを有する認証システムにおいて，クライアント端末１のユーザが入力した認証データが有効であるか無効であるかを決定する方法であって，
　クライアント端末１は，ディスプレイ４と入力装置５とを有し，
　ディスプレイ４と入力装置５は，タッチスクリーン・ディスプレイの形態で，一体化してもよく，
　入力装置５を用いて，認証データ（例えば，ＰＩＮ）を入力すると，この認証データをクライアント端末１が用いて，データベース・サーバ２へのアクセスを確保するようになっており，
　セキュリティ・サーバ３は，結合生成器７と，画像生成装置８と，デコーダ（暗号解読器）９とを有し，リクエストをデータベース・サーバ２から受領すると，結合生成装置７は，ランダム列とこのランダム列に特有の識別コードとを生成し，
　認証データがＰＩＮの形態の場合，すなわち認証データが数字のみを含む場合には，ランダム列は，例えば『７２６０９４８１３５』であり，
　結合生成装置７は，ランダム列と識別コードの両方を画像生成装置８とデコーダ９と通信し，識別コードのみをデータベース・サーバ２と通信し，
　画像生成装置８は，結合生成装置７から受領したランダム列を採り，クライアント端末１上に表示するのに適したイメージデータを生成し，
　例えば，クライアント端末１がパソコンの場合には，イメージデータは例えばＪＰＧ等のイメージファイルから構成され，
　この生成されたイメージは，ランダム列からなる各キャラクタを含み，ディスプレイのイメージ内の各キャラクタの位置は，キャラクタがランダム列に現れる順番で決定され，
　例えば，ランダム列の最初のキャラクタは，ディスプレイのイメージの左上に表示され，ランダム列の最後のキャラクタは，イメージの右下に表示され，
　生成されたイメージは，受信したキャラクタのランダム列とは無関係に，同一の全体的デザインを維持し，この同一の全体的デザイン内でキャラクタの構成のみが各ランダム列と共に変化し，
　例えば，画像生成装置８は常に数字のキーパッドのイメージを生成し，このキーパッド上の数字の配列は受信したランダム列に従って変化し，
　ランダム列『３５４９２＊０＃６７８１』を受信した時には，画像生成装置８によりランダム列『３５４９２＊０＃６７８１』に対応したイメージデータが生成され，
　特定のランダム列用に画像生成装置８により生成されたイメージデータは，そのランダム列用に結合生成装置７から受領したものと同じ識別コードが割り当てられ，この識別コードは，セキュリティ・サーバ３からデータベース・サーバ２に送られ，このデータベース・サーバ２が次に識別コードをクライアント端末１に送り，
　クライアント端末１は，この識別コードを用いて，画像生成装置８により生成された対応するイメージデータを，セキュリティ・サーバ３から受領し，
　その後，クライアント端末１は，受領したイメージデータを用いてディスプレイ４の外観を変更し，ランダムに配置された複数のキャラクタをユーザに表示し，
　その後，ユーザは，入力装置５を用いて，例えばＰＩＮを形成する個々のキャラクタを選択することにより，自分の認証データを入力し，
　ユーザにより入力された認証データは，クライアント端末１により位置データとして記録され，
　この位置データは，クライアント端末１により，キャラクタ・データに変換され，セキュリティ・サーバ３に送られ，
　例えば，ランダム列『３５４９２＊０＃６７８１』に対応したイメージがクライアント端末１に表示され，ユーザが『７，９，２，０』を選択した場合には，その位置データは『第１行第１列，第３行第１列，第３行第２列，第２行第１列』となり，
　この位置データは，従来の数字のキーパッド上の数字の配列に対応する『１，７，８，４』に変換され，
　ここで，列と行の数え方は，列は左から，行は下から数えるようになっており，
　位置データが変換されるキャラクタ・データは，認証データの暗号化された形態を表し，この暗号化された認証データ『１，７，８，４』は，識別コードに特有のイメージデータとこのイメージデータを生成する方法の両方を知ることによってのみ暗号解読されるものであり，
　認証データがユーザにより入力された後，暗号化された認証データと表示されたイメージデータに特有の識別コードは，クライアント端末１によりセキュリティ・サーバ３に送られ，そこで，デコーダ９により暗号解読される，
　方法。」
　
２　引用文献２
　原査定の拒絶の理由で引用された，本願の優先日前に頒布された刊行物である，特表２０１０−５３３９２５号公報（２０１０年１０月２８日出願公表。以下，「引用文献２」という。）には，図面とともに，次の記載がある。
Ｃ　「【０００４】
　様々な実施方法およびシステムにより，モバイルデバイス上のキーパッドレイアウト，グラフィックおよび機能の個人化され，ブランド化された構成が可能になる。キーパッドの外観および機能をモバイルデバイス上でアクティブなテーマによって決定することができる。新たなキーおよび新たなキー機能を，モバイルデバイス上で実行されているアプリケーションに基づいて，またはサービスおよびデータへのユーザアクセスを与えるために提供することができる。
カスタマイズ可能な仮想キーパッドを，スピードダイヤルおよび他のキー割当てを識別するためにイメージおよび他のグラフィックとともに構成することができる。
Ｄ　「【００１７】
　
アプリケーション２００がモバイルデバイス１０上で開始されると，キーパッド構成命令がアプリケーション２００からランタイム環境ソフトウェア２０４を介してキーパッドプロトコル２０６に送信される。
これらの構成命令を使用して，キーパッドプロトコル２０６は，
キーパッド２０を構成する
【００１８】
　様々なアプリケーション２００は，モバイルデバイス１０上の様々なキーが，そのアプリケーション２００によって定義された特定の方法で出現または機能することを要求することができる。図４に，
アプリケーション２００がキーパッド２０のレイアウトおよび機能を伝達するときにキーパッドプロトコル２０６に送信できる構成命令メッセージ３００の構造
構成命令メッセージ３００は，アプリケーション２００の命令と互換性のあるキーパッドのタイプ３００ａ，キー配向３００ｂ，各キーのキー設計３００ｃおよび／またはキー機能３００ｄに関する情報を含む
構成メッセージ３００は，キーパッドプロトコル２０６によって受信され，そのレイアウトおよび／または機能をアプリケーション２００によって命令されたように構成するようキーパッド２０に命令するために使用される
【００１９】
（途中省略）
【００２１】
　モバイルデバイスキーパッド／ユーザインターフェースの別の形態は，図７および図８に示したようなタッチスクリーンである。そのような
モバイルデバイス１０では，タッチスクリーン４１０が完全にフレキシブルなキーパッドおよびユーザインターフェースを与える。
アプリケーションソフトウェア２００内で特定のタッチスクリーンを構成しなければならないのではなく，アプリケーション開発者は，記述構成情報およびグラフィックファイルを標準形式およびＡＰＩを使用してキーパッドプロトコル２０６に与え，タッチスクリーン設計の多様性と調和させることの複雑さをキーパッドプロトコル２０６に任せることができる
Ｅ　「【００２７】
　図１２Ａに，
セルフォン適用例用の数字として構成された仮想キー４１２を表示するタッチスクリーンユーザインターフェース４１０を装備したモバイルデバイス１０の一例
【００２８】
（途中省略）
【００２９】
　別の実施形態では，キーパッド２０上に出現する数字または文字のサイズを，ユーザの選好または選択に従って変更することができる。本実施形態では，モバイルデバイスは，ユーザがキーパッド２０上に出現する数字，シンボルまたは文字の色，サイズ，フォント，形式，言語または配向を変更することができるように，ソフトウェアで構成される。たとえば，視力の弱いユーザは，モバイルデバイスの使用を円滑にするためにキーパッド２０上に出現する数字を拡大することができる。図１５は，キーパッド２０上に表示された数字のサイズを変更するための例示的なステップを示す。キーパッド上に表示された数字のサイズを変更するプロセスは，アプリケーション２００を使用して実装できる。ステップ６００で，キーパッド２０上の数字のサイズを変更するためのアプリケーション２００が開始されると，アプリケーションは，ユーザが所望のフォントサイズを選択することができるようにユーザにメニューを提示することができる。ユーザ入力を受けると，ステップ５０２で，キーサイジングアプリケーション２００は，キーパッドプロトコル２０６にキーパッド構成命令を送信することができる。この構成命令は，キーパッドプロトコル２０６がキーディスプレイフォントを変更するために使用することができる，フォントサイズデータまたはグラフィックファイルを含む。ステップ５０２〜５１０について図１０を参照しながら上述したように，
キーパッドプロトコル２０６は，キーパッド構成命令を受信し，そのデータを処理し，その命令をキーパッドドライバ２０８に送信する
キーパッドドライバ２０８は，キーパッド構成命令を受信し，キーパッド２０を構成する
Ｆ　「【００４４】
　図２６に，一実施形態による，キーパッド２０上にカスタマイズされたスピードダイヤリングキーを作成するために実装される例示的なソフトウェアステップを示す。この機能は，バイナリデバイス機能の一部としてシステムソフトウェア内に，アプリケーション（たとえば，電話アプリケーション）に，または部分的にシステムソフトウェアとアプリケーションとに実装できる。ステップ１０００で，電話番号と，電話番号に関連付けられたスピードダイヤルキーとして指定すべきキーとをモバイルデバイスに入力し，それをモバイルデバイスが受信する。このデータ入力は，スピードダイヤルキー割当てを作成するためのアプリケーションが起動されるとモバイルデバイスディスプレイ１３上に提示されるメニュープロンプトに応答して行われる。スピードダイヤルキーを割り当てることの一部として，ステップ１００２で，ユーザは，スピードダイヤルキーに関連付けるべき名前，イメージまたはグラフィックを入力または特定する（たとえば，メモリに記憶されたグラフィックファイルをポイントする）ように促される。この場合も，この情報は，モバイルデバイスディスプレイ１３上に提示されるメニュープロンプトによって要求され，そのプロンプトに応答して入力される。スピードダイヤルキーを割り当てるためにアプリケーションが使用される場合，ステップ５０２で，
アプリケーション２００は，電話番号，キー数字および関連する名前，グラフィックまたはイメージを使用して，キーパッド構成命令をフォーマット化し，キーパッドプロトコル２０６に送信する
電話番号，キー数字および関連する名前，グラフィックまたはイメージが，キーパッドプロトコル２０６によってアクセスされ
それらを使用して，キーパッド構成コマンドを生成する
キーパッド構成コマンドをキーパッドドライバ２０８に送信し，キーパッドドライバ２０８は
そのコマンドを受信し
キーパッドを構成する
キーパッドを構成する際に，キーパッドドライバ２０８は，名前，グラフィックまたはイメージがキーパッドによって表示されるようにする
ディスプレイキーパッド４００の場合，名前，グラフィックまたはイメージは，指定されたスピードダイヤルキーのキーディスプレイ上に提示される
タッチスクリーンキーパッドの場合，名前，グラフィックまたはイメージが仮想キー内に提示されるか，あるいは名前，グラフィックまたはイメージを含む新たなキーがキーパッド上に表示される
Ｇ　「図８
」
Ｈ　「図１２Ａ
」
　上記Ｃ〜Ｈの記載から，引用文献２には次の技術（以下，「引用文献２記載技術」という。）が記載されているものと認められる。
「アプリケーション開発者は，記述構成情報およびグラフィックファイルを標準形式およびＡＰＩを使用してキーパッドプロトコル２０６に与え，タッチスクリーン設計の多様性と調和させることの複雑さをキーパッドプロトコル２０６に任せることができ，
　アプリケーションは，キーパッド構成命令をランタイム環境ソフトウェアを介してキーパッドプロトコルに送信して，タッチスクリーン上にレイアウトを指定して数字の仮想キーパッドを配置でき，
　さらに，タッチスクリーンにおいて，イメージを仮想キー内に提示するか，あるいは，「イメージを含む新たなキー」がキーパッド上に表示されるように構成できる。」
第６　対比・判断
１　本願発明と引用発明とを対比する。
（ア）引用発明の「クライアント端末１」は，「ディスプレイ４と入力装置５」とを有しているところ，引用発明の「ディスプレイ４」を有する「クライアント端末１」が本願発明の「画面」を有する「電子デバイス」に対応する。
（イ）引用発明において，クライアント端末１は，画像生成装置８が生成した図３に例示されるような「数字のキーパッドのイメージ」を「セキュリティ・サーバ３から受領し」，「受領したイメージデータを用いてディスプレイ４の外観を変更し」て「ランダムに配置された複数のキャラクタをユーザに表示し」，「ユーザは，入力装置５を用いて，例えばＰＩＮを形成する個々のキャラクタを選択することにより，自分の認証データを入力」するものであるところ，引用発明の「ディスプレイ４と入力装置５は，タッチスクリーン・ディスプレイの形態で，一体化してもよ」いものであり，その場合には，「キャラクタの選択」は，ディスプレイ４に表示された「数字のキーパッド」の個々のキャラクタがタッチスクリーン・ディスプレイを介してタッチ入力されるものである。
　そして，引用発明では，「ランダム列『３５４９２＊０＃６７８１』に対応したイメージがクライアント端末１に表示され」た状態で，「ユーザが『７，９，２，０』を選択した場合に」，その位置データから「従来の数字のキーパッド上の数字の配列に対応する『１，７，８，４』に変換され」て入力されるところ，この「位置データ」に対応した「数字」を入力できる「従来の数字のキーパッド」は，“電子的なキーパッド”ということができる。
　一方，本願明細書の段落【００３６】の「このキーパッドは，当業者がキーパッドに期待する機能性を有するということで，操作可能である。当業者なら，「キーパッド」という用語が，少なくとも１つの付随する印をそれぞれが有するキーからなる，電子的又は機械的な格子を意味することを理解するであろう。この格子は，ユーザによって選択されると，付随する印が，記憶及び／又は処理の目的でデバイス又はシステムに入力せしめられる。本発明の文脈では，キーパッドは，電子バージョンのキーパッドのことである。このキーパッドは，それが機械的キーパッドのソフトウェアエミュレーションであるということで，「仮想」キーパッドと考えることができる。キーパッドは，コンピュータベースのシステムに入力するためにユーザが選択することができる標識化されたキーを備えていて，機械的キーパッドのすべての機能を有する。」との記載からすると，本願発明の「電子キーパッド」は，「少なくとも１つの付随する印をそれぞれが有するキーからなる，電子的な格子を意味する」「電子バージョンのキーパッド」のことであると理解される。
　また，本願明細書の段落【００５３】の「キーパッドゾーンは，画面の画定された領域又は部分とすることができる。従って，キーパッドゾーンは，画面領域全体を占めてもよいし，画面の一部分を占めていてもよい。スクランブルキーパッド画像は，それがキーパッドゾーンを完全に，正確に，又は部分的に覆うように表示することができる。好ましくは，下にあるキーパッドは，ユーザがキーパッドのキーの少なくとも幾つかは見ることができないように，少なくとも部分的に視野から隠される。」との記載からすると，本願発明の「キーパッドゾーン」とは，画面上の領域であって，「スクランブルキーパッド画像」によって覆われ，キーパッドとして機能する領域のことであると理解される。
　そうすると，引用発明の「タッチスクリーン・ディスプレイ」に表示された図３に例示されるような「数字のキーパッドのイメージ」の下にあり，ディスプレイ内の「位置データ」に対応した「数字」を入力できる「従来の数字のキーパッド」が本願発明の「画面のキーパッドゾーン内で操作可能であり，操作可能な電子キーパッド」に相当する。
　そして，引用発明のクライアント端末１は，「従来の数字のキーパッド」を“有する”ものである。
（ウ）引用発明の「ＰＩＮ」は個人識別番号であるから本願発明の「識別名」に相当し，上記（ア），（イ）の検討も合わせると，引用発明と本願発明とは，後記する点で相違するものの，
「ユーザが，
ｉ）画面と，
ｉｉ）画面のキーパッドゾーン内で操作可能であり，操作可能な電子キーパッドと
を有する電子デバイスに識別名を入力することを可能にする工程から成っている」点で共通しているといえる。
（エ）引用発明では，クライアント端末１が，画像生成装置８が生成した図３に例示されるような「数字のキーパッドのイメージ」を「セキュリティ・サーバ３から受領し」，「受領したイメージデータを用いてディスプレイ４の外観を変更し」て「ランダムに配置された複数のキャラクタをユーザに表示し」，ユーザは，表示された図３に例示されるような「数字のキーパッドのイメージ」を見ながら，『７，９，２，０』を選択すると，これが，当該『７，９，２，０』の位置に対応する「従来の数字のキーパッド」のキーの数字である『１，７，８，４』に変換されて入力されるものであり，例えば，図３に例示されるような「数字のキーパッドのイメージ」の「７」を選択すると，この位置に対応する「従来の数字のキーパッド」のキーの数字である「１」が入力されるものであるところ，引用発明の，図３に例示されるような「ランダム列『３５４９２＊０＃６７８１』に対応した」「数字のキーパッドのイメージ」が本願発明の「前記キーパッドゾーン内に少なくとも部分的に表示されるキーパッドの少なくとも一部の画像」に相当し，引用発明では，図３に例示されるような「数字のキーパッドのイメージ」を“介して”，「従来の数字のキーパッド」のキーを“操作”することによって，数字の入力が行われているということができる。
　してみれば，引用発明と本願発明とは，「この工程（識別名を入力することを可能にする工程）は，前記キーパッドゾーン内に少なくとも部分的に表示されるキーパッドの少なくとも一部の画像を介して，前記キーパッドの少なくとも１つのキーを操作することによって行われ」ている点で一致しているといえる。
（オ）引用発明において，「クライアント端末１は，受領したイメージデータを用いてディスプレイ４の外観を変更し，ランダムに配置された複数のキャラクタをユーザに表示し」ているところ，上記（エ）の検討から，この「ランダムに配置された複数のキャラクタ」を有する「受領したイメージデータ」である，例えば，図３で例示されるような「ランダム列『３５４９２＊０＃６７８１』に対応した」「数字のキーパッドのイメージ」が本願発明における「前記操作可能なキーパッド内の前記キーのレイアウトに対して位置的に再配列又は再構成される少なくとも１つのキーを有するスクランブルキーパッドを表現し又は描写」する「画像」に相当するといえるから，引用発明と本願発明とは，「前記画像は，前記操作可能なキーパッド内の前記キーのレイアウトに対して位置的に再配列又は再構成される少なくとも１つのキーを有するスクランブルキーパッドを表現し又は描写する」点で一致しているといえる。
（カ）引用発明の「クライアント端末１のユーザが入力した認証データが有効であるか無効であるかを決定する方法」において，当該決定を実行する主体は「セキュリティ・サーバ３」という“コンピュータ”であり，「ユーザが入力した認証データが有効であるか無効であるかを決定する」ことは，「検証」することであるといえるので，引用発明と本願発明とは，「コンピュータ実施の検証方法」である点で一致する。
　そうすると，本願発明と引用発明とは，
　
「　ユーザが，
ｉ）画面と，
ｉｉ）画面のキーパッドゾーン内で操作可能であり，操作可能な電子キーパッドと
を有する電子デバイスに識別名を入力することを可能にする工程から成っているが，この工程は，前記キーパッドゾーン内に少なくとも部分的に表示されるキーパッドの少なくとも一部の画像を介して，前記キーパッドの少なくとも１つのキーを操作することによって行われ，
前記画像は，前記操作可能なキーパッド内の前記キーのレイアウトに対して位置的に再配列又は再構成される少なくとも１つのキーを有するスクランブルキーパッドを表現し又は描写する
コンピュータ実施の検証方法。」
　
の点で一致し，次の点で相違する。
　
［相違点１］
　電子キーパッドに関して，
　本願発明の電子キーパッドは，「手続呼び出しによって生成することができ，実行時に揮発性メモリ内に生成され存在するオブジェクトである」のに対して，
　引用発明の「従来の数字のキーパッド」は，そのような特定はなされていない点。
２　判断
　上記相違点について検討する。
　
［相違点１］について
　引用文献２には，「アプリケーション開発者は，記述構成情報およびグラフィックファイルを標準形式およびＡＰＩを使用してキーパッドプロトコル２０６に与え，タッチスクリーン設計の多様性と調和させることの複雑さをキーパッドプロトコル２０６に任せることができ，
　アプリケーションは，キーパッド構成命令をランタイム環境ソフトウェアを介してキーパッドプロトコルに送信して，タッチスクリーン上にレイアウトを指定して数字の仮想キーパッドを配置でき，
　さらに，タッチスクリーンにおいて，イメージを仮想キー内に提示するか，あるいは，「イメージを含む新たなキー」がキーパッド上に表示されるように構成できる。」との技術（引用文献２記載技術）が記載されている。
　ここで，上記引用文献２記載技術は，「アプリケーション開発者は，記述構成情報およびグラフィックファイルを標準形式およびＡＰＩを使用してキーパッドプロトコル２０６に与え，タッチスクリーン設計の多様性と調和させることの複雑さをキーパッドプロトコル２０６に任せることができ」るものであり，また，「アプリケーションは，キーパッド構成命令をランタイム環境ソフトウェアを介してキーパッドプロトコルに送信して，タッチスクリーン上にレイアウトを指定して数字の仮想キーパッドを配置でき」るものであるから，引用文献２記載技術の「仮想キーパッド」は，“手続呼び出しによって生成することができ”，また，“実行時に揮発性メモリ内に生成され存在するオブジェクトである”ということができる。
　そして，引用発明と引用文献２記載技術とは，いずれもタッチスクリーン上のキーパッドに係る技術である点で共通していることから，引用発明に引用文献２記載技術を適用して，ユーザが認証データを入力する際に，すなわち，“実行時”に，当該入力のための電子キーパッドを，手続呼び出しによって，揮発性メモリ内に生成され存在するオブジェクトとして生成するように構成することは，当業者であれば適宜なし得たことである。
　そして，上記の相違点を総合的に勘案しても，本願発明の奏する作用効果は，引用発明及び引用文献２記載技術の奏する作用効果から予測される範囲内のものにすぎず，格別顕著なものということはできない。
　
　したがって，本願発明は，引用発明及び引用文献２記載技術に基づいて，当業者が容易に発明をすることができたものである。
第７　むすび
　以上のとおり，本願発明は特許法第２９条第２項の規定により特許を受けることができないから，他の請求項に係る発明について検討するまでもなく，本願は拒絶されるべきものである。
よって，結論のとおり審決する。